(57)【特許請求の範囲】
【請求項１】
外枠と、その外枠に一側部が軸支された開閉可能な中枠と、その中枠に一側部が軸支されて開閉可能とされ、閉鎖状態において中枠の前面を覆う前面枠とを有し、前記中枠の前面側又は後面側に形成された嵌合凹部に対して不透明な合板製の遊技板を備えた遊技盤と導光性を有する透明な樹脂製の遊技板を備えた遊技盤のそれぞれを着脱自在として、２種類の遊技盤を交換可能としたパチンコ機において、
前記嵌合凹部の内周と遊技板の外周の対向面間に空隙部を設け、その空隙部内に発光体を組込み、その発光体からの光が遊技板の外周面に向けて投射される向きと前面枠に向けて投射される向きとに変更可能なよう発光体を方向変換可能に前記中枠に支持し、前記前面枠には、発光体からの光を遊技者側に向けて出射する透光部を設けたことを特徴とするパチンコ機。
【請求項２】
前記中枠に発光体の向きを方向変換させる駆動装置を設けた請求項１に記載のパチンコ機。
【請求項３】
外枠と、その外枠に一側部が軸支された開閉可能な中枠と、その中枠に一側部が軸支されて開閉可能とされ、閉鎖状態において中枠の前面を覆う前面枠とを有し、前記中枠の前面側又は後面側に形成された嵌合凹部に対して不透明な合板製の遊技板を備えた遊技盤と導光性を有する透明な樹脂製の遊技板を備えた遊技盤のそれぞれを着脱自在として、２種類の遊技盤を交換可能としたパチンコ機において、
前記嵌合凹部の内周と遊技板の外周の対向面間に空隙部を設け、その空隙部内に発光体と、その発光体から投射される光を反射させるリフレクタとを組込み、前記リフレクタからの反射光が遊技板の外周面に向けて投射される向きと、その反射光が前面枠に向けて投射される向きとに変更可能なよう前記リフレクタを方向変換可能に支持し、前記前面枠には、リフレクタからの反射光を遊技者側に向けて出射する透光部を設けたことを特徴とするパチンコ機。
【請求項４】
前記中枠にリフレクタの向きを方向変換させる駆動装置を設けた請求項３に記載のパチンコ機。
【発明の詳細な説明】
【技術分野】
【０００１】
この発明は、パチンコ機に関するものである。
【背景技術】
【０００２】
外枠の一側部により中枠の一側部を軸支して開閉可能に支持し、その中枠の前面を覆うガラス枠等の前面枠の一側部を上記中枠で軸支して開閉可能とし、上記中枠に遊技盤を取付けたパチンコ機においては、特許文献１に示すように、中枠の後面側から遊技盤を着脱自在に取付けるようにしたものと、特許文献２に示すように、中枠の前面側から遊技盤を着脱自在に取付けるようにしたものとが存在する。
【０００３】
上記いずれのパチンコ機においても、中枠に対して遊技盤が着脱自在であるため、パチンコホールに対するパチンコ機の納品が、遊技盤のみを納品し、外枠、中枠および前面枠をそのまま利用する納品形態が採られるようになってきている。
【０００４】
ここで、遊技盤には、遊技板が不透明なベニヤ合板からなるもの（以下、合板製遊技盤という）と、特許文献３に示すように、アクリル樹脂等の導光性を有する透明な樹脂製のもの（以下、樹脂製遊技盤という）とが知られている。樹脂製遊技盤においては、遊技板の外周に発光ダイオード（ＬＥＤ）等の発光素子を取付け、その発光素子からの光を遊技板内に入射させ、遊技板の後面又は前面に形成された凹凸状の模様部で乱反射する反射光の一部をパチンコ機の前面側に出射させ、上記凹凸の模様部を発光素子の発光色で光らせて装飾効果を高めるようにしている。
【０００５】
【特許文献１】特開２００５−２３７８４８号公報
【特許文献２】実開平４−１２６５８７号公報
【特許文献３】特開２００６−２５４９５９号公報
【発明の開示】
【発明が解決しようとする課題】
【０００６】
ところで、樹脂製遊技盤の遊技板の外周に発光素子を取付け、その発光素子からの光を遊技板内に入射させて、凹凸の模様部を光らせる技術は樹脂製遊技盤による特有のものであり、合板製遊技盤には適用することはできない。このため、樹脂製遊技盤から合板製遊技盤に取替えられた場合、発光素子が無駄なものとなって有効利用することができない。
【０００７】
また、樹脂製遊技盤においては、遊技板の外周に発光素子の取付けを必要とするため、コストが高くなるという不都合がある。
【０００８】
この発明の課題は、樹脂製遊技盤から合板製遊技盤に取替えられた場合でも発光素子等の発光体を有効に活用することができると共に、樹脂製遊技盤のコストの低減を図ることができるようにしたパチンコ機を提供することである。
【課題を解決するための手段】
【０００９】
上記の課題を解決するために、第１の発明においては、外枠と、その外枠に一側部が軸支された開閉可能な中枠と、その中枠に一側部が軸支されて開閉可能とされ、閉鎖状態において中枠の前面を覆う前面枠とを有し、前記中枠の前面側又は後面側に形成された嵌合凹部に対して不透明な合板製の遊技板を備えた遊技盤と導光性を有する透明な樹脂製の遊技板を備えた遊技盤のそれぞれを着脱自在として、２種類の遊技盤を交換可能としたパチンコ機において、前記嵌合凹部の内周と遊技板の外周の対向面間に空隙部を設け、その空隙部内に発光体を組込み、その発光体からの光が遊技板の外周面に向けて投射される向きと前面枠に向けて投射される向きとに変更可能なよう発光体を方向変換可能に前記中枠に支持し、前記前面枠には、発光体からの光を遊技者側に向けて出射する透光部を設けた構成を採用したのである。
【００１０】
上記の構成からなるパチンコ機において、中枠に透明な樹脂製の遊技板を備える遊技盤（樹脂製遊技盤）が取付けられた場合には、発光体を遊技板の外周面に向けて投光する向きとし、その発光体からの光を遊技板内に入射させて、遊技板に形成された凹凸の模様部を発光体の発色光で光らせて装飾効果を高める。
【００１１】
一方、中枠に不透明な合板製の遊技板を備える遊技盤（合板製遊技盤）が取付けられた場合は、発光体を前面枠に向けて投光する向きとし、その発光体からの光を前面枠に形成された透光部から遊技者側に出射させて、装飾発光させるようにする。
【００１２】
ここで、発光体の向きの変更は、人手によって行うようにしてもよく、駆動装置によって行うようにしてもよい。駆動装置による向きの変更に際しては、制御装置の付加によって多数のパチンコ機のそれぞれに組込まれた発光体の向きを同時に変更することが可能となり、一部のパチンコ機において発光体の向きの変更のし忘れを防止することができる。
【００１３】
上記の課題を解決するために、第２の発明においては、外枠と、その外枠に一側部が軸支された開閉可能な中枠と、その中枠に一側部が軸支されて開閉可能とされ、閉鎖状態において中枠の前面を覆う前面枠とを有し、前記中枠の前面側又は後面側に形成された嵌合凹部に対して不透明な合板製の遊技板を備えた遊技盤と導光性を有する透明な樹脂製の遊技板を備えた遊技盤のそれぞれを着脱自在として、２種類の遊技盤を交換可能としたパチンコ機において、前記嵌合凹部の内周と遊技板の外周の対向面間に空隙部を設け、その空隙部内に発光体と、その発光体から投射される光を反射させるリフレクタとを組込み、前記リフレクタからの反射光が遊技板の外周面に向けて投射される向きと、その反射光が前面枠に向けて投射される向きとに変更可能なよう前記リフレクタを方向変換可能に支持し、前記前面枠には、リフレクタからの反射光を遊技者側に向けて出射する透光部を設けた構成を採用したのである。
【００１４】
上記第２の発明に係るパチンコ機においては、樹脂製遊技盤が取付けられた場合には、リフレクタからの反射光が遊技板の外周面に向けて投射される向きにリフレクタの向きを調整し、発光体からの光をリフレクタにより反射させ、その反射光を遊技板内に入射させて、遊技板に形成された凹凸の模様部を発光体の発色光で光らせて装飾効果を高める。
【００１５】
一方、中枠に合板製遊技盤が取付けられた場合は、リフレクタからの反射光が前面枠に向けて投射されるようリフレクタの向きを調整し、発光体からの投光をリフレクタで反射させ、その反射光を前面枠に形成された透光部から遊技者側に出射させて、発光体を装飾発光用として活用する。
【００１６】
ここで、リフレクタの向きの変更は、人手によって行うようにしてもよく、駆動装置によって行うようにしてもよい。駆動装置による向きの変更に際しては、第１の発明に係るパチンコ機と同様に、制御装置の付加により多数のリフレクタの向きを同時に変更することが可能となり、一部のパチンコ機において、リフレクタの向きの変更のし忘れを防止することができる。
【発明の効果】
【００１７】
上記のように、第１の発明においては、発光体の向きを変更し得るため、樹脂製遊技盤が取付けられた場合に、その発光体を遊技板に形成された凹凸の模様部の照明用として使用することができ、一方、合板製遊技盤が取付けられた場合は、発光体を装飾発光用として有効に活用することができる。
【００１８】
また、樹脂製遊技盤の場合、その遊技盤の遊技板の外周に発光体を取付ける必要がなくなり、遊技盤のコストの低減を図ることができる。
【００１９】
第２の発明においては、リフレクタの向きを変更し得るため、樹脂製遊技盤が取付けられた場合に、発光体を第１の発明と同様に、遊技板に形成された凹凸の模様部の照明用として使用することができ、一方、合板製遊技盤が取付けられた場合は、発光体を装飾発光用として有効に活用することができる。
【００２０】
また、樹脂製遊技盤の場合、第１の発明と同様に、遊技板の外周に発光体を取付ける必要がなくなるため、遊技盤のコストの低減を図ることができる。
【発明を実施するための最良の形態】
【００２１】
以下、この発明の実施の形態を図面に基づいて説明する。図１乃至図３に示すように、パチンコ機は、縦長な矩形状に枠組みされた外枠１を有し、その外枠１の一側部に上下で対向するヒンジ片２が固定され、そのヒンジ片２によりパチンコ機の主要構成部を支持する板状の中枠３の一側部が軸支されて開閉可能に支持されている。
【００２２】
中枠３の表側には、上皿５を有する前面枠４が設けられている。前面枠４は、その一側部が中枠３に軸支されて開閉自在とされ、閉鎖状態において中枠３の前面を覆うようになっており、その前面枠４の下側に下皿７を有する皿板６が設けられている。ここで、前面枠４は、ガラス板の周囲に縁枠を設けたものであってもよく、あるいは、アクリル樹脂板の周囲に縁枠を設けたものであってもよい。
【００２３】
皿板６の右側には発射ハンドル８が取付けられ、その発射ハンドル８に設けられた発射レバー９を回動操作することにより、上皿５に貯留された遊技球が図示省略した球送り機構を介して発射装置に送り込まれた後、中枠３に取付けられた図４に示す遊技盤１０の遊技領域１１に発射されるようになっている。
【００２４】
ここで、遊技盤１０は、遊技板１２を有し、その遊技板１２の表面に取付けられたガイドレール１３の内側が遊技領域１１とされ、その遊技領域１１に、遊技球の落下方向を分散、調整するための多数の釘１４や風車１５、液晶表示器１６、始動入賞装置１７、特別可変入賞装置１８等が設けられている。
【００２５】
そして、遊技領域１１に発射された遊技球が、その遊技領域１１を落下して始動入賞装置１７に入賞すると、液晶表示器１６の表示画面に特別図柄の変動表示が所定時間行われ、複数の特別図柄が特定の停止表示態様で停止表示されると、大当たり遊技状態が発生し、特別可変入賞装置１８の入口を塞いでいた扉１９が予め定められた作動条件に従って開閉するようになっている。
【００２６】
図３に示すように、中枠３には遊技盤１０に設けられたガイドレール１３がほぼぴったりと嵌り合う抜き孔２０が形成されている。また、中枠３の背面には、上記抜き孔２０を囲むようにして支持枠２１が設けられ、その支持枠２１の内側が嵌合凹部２２とされ、その嵌合凹部２２に対して遊技盤１０の遊技板１２が着脱自在とされている。嵌合凹部２２に嵌合された遊技板１２は嵌合凹部２２の周囲に設けられた複数の固定レバー２３によって固定されるようになっている。
【００２７】
図５および図１０に示すように、固定レバー２３は中枠３の後面に突設された支点軸２４を中心にして揺動自在に支持され、上記支点軸２４に支持されたスプリング２５は固定レバー２３を中枠３の背面に向けて付勢している。また、固定レバー２３は、揺動側端部に操作片２６を有し、その操作片２６を操作して、固定レバー２３の揺動側端部が嵌合凹部２２に嵌合された遊技板１２の背面に重なる位置まで固定レバー２３を揺動させることによって遊技板１２を固定し得るようになっている。
【００２８】
遊技盤１０は、遊技板１２がベニヤ合板からなる不透明な合板製のもの（合板製遊技盤）と、アクリル樹脂等の導光性を有する透明な樹脂製のもの（樹脂製遊技盤）の２種類が存在する。図９は樹脂製遊技盤１０を示し、その樹脂製遊技盤１０の遊技板１２の後面には凹凸状の模様部２７が形成され、遊技板１２の外周面から内部に光を入射させると、上記模様部２７で光が乱反射し、その反射光の一部がパチンコ機の前面側に出射して、模様部２７が光輝くようになっている。
【００２９】
図２に示すように、支持枠２１の両側の側辺材２１ａには遊技板１２の外周側面との間で空隙部２８を形成する屈曲部２９が形成されている。図５乃至図７に示すように、上記空隙部２８内には発光ダイオード（ＬＥＤ）等の複数の発光体３０が上下に間隔をおいて組込まれている。
【００３０】
発光体３０のそれぞれは、ソケット３１により支持され、そのソケット３１が支持片３２に取付けられている。支持片３２は下端に台座３３を有し、その台座３３を支持するブラケット３４が中枠３に設けられている。
【００３１】
台座３３の下面には回転軸３５が設けられ、その回転軸３５はブラケット３４に形成された孔３６に挿入されて回転自在に支持され、上記回転軸３５に駆動装置としてのロータリソレノイド３７が接続されている。
【００３２】
ロータリソレノイド３７は、支持片３２を回転駆動して発光体３０が中枠３の嵌合凹部２２に取付けられた遊技板１２の外周面に向けて投光する向きと前面枠４に向けて投光する向きとに発光体３０の向きを変更させるようになっており、
上記中枠３および前面枠４には、発光体３０からの光を遊技者側に向けて出射する透光部３８が設けられている。
【００３３】
透光部３８として、ここでは、孔からなるものを示したが、透明部を透光部３８としてもよい。
【００３４】
上記の構成からなるパチンコ機においては、中枠３に取付けられる遊技盤１０の種類に応じてロータリソレノイド３７の駆動により発光体３０の向きを調整する。
【００３５】
例えば、樹脂製遊技盤１０が中枠３に取付けられた場合には、図８に示すように、発光体３０を遊技板１２の外周面に向けて投光する向きとし、一方、合板製遊技盤１０が中枠３に取付けられた場合は、図６および図７に示すように、発光体３０を前面枠４に向けて投光する向きとする。
【００３６】
図８に示すように、発光体３０が遊技板１２の外周面に向く状態において、その発光体３０を点灯すると、図９に示すように、発光体３０からの光は樹脂製遊技盤１０の遊技板１２内に入射され、遊技板１２の後面に形成された凹凸状の模様部２７で乱反射する反射光の一部がパチンコ機の前面側に出射し、上記模様部２７が発光体３０の発光色で光輝き、遊技盤面が装飾されることになる。
【００３７】
一方、図６および図７に示すように、発光体３０が前面枠４に向けて投光する状態において、その発光体３０を点灯すると、発光体３０からの光は前面枠４に形成された透光部３８から遊技者側に出射することになり、前面枠４は上記透光部３８からの発光によって装飾されることになる。この場合、発光体３０を点滅させるようにすると、装飾効果をより高めることができる。
【００３８】
このように、発光体３０は遊技板１２に形成された凹凸の模様部２７の照明用として使用したり、あるいは、前面枠４の装飾発光用として有効に活用することができる。また、樹脂製遊技盤１０の場合、その遊技板１２の外周に発光体３０を取付ける必要がなくなるため、樹脂製遊技盤１０のコストの低減を図ることができる。
【００３９】
図３では、中枠３の後面側から遊技盤１０を着脱自在に取付けるようにしたパチンコ機を示したが、パチンコ機はこれに限定されるものではない。例えば、遊技盤１０を中枠３の前面側から着脱自在に取付けるようにしたパチンコ機であってもよい。
【００４０】
また、図５では、ロータリソレノイド３７によって発光体３０の向きを変更するようにしたが、ステッピングモータ等のモータにより発光体３０を回転させて向きを変更させるようにしてもよい。あるいは、発光体３０を支持する支持片３２を人手により回動して向きを方向変換させるようにしてもよい。この場合、図１１乃至図１３に示すように、支持片３２の台座３３に設けられた回転軸３５を回転自在に支持するブラケット３４に回転軸３５を中心とする９０°の弧状の長孔３９を形成し、支持片３２の台座３３には上記長孔３９に挿入されるピン４０を設け、長孔３９の両端に対するピン４０の当接によって発光体３０を遊技板１２の外周面に向く向きと前面枠４に向く向きとに停止保持できるようにしておくのが好ましい。
【００４１】
図１４乃至図１６は、発光体３０からの投光を遊技盤１０の外周面と前面枠４とに向けて切換えて入射させる入射光切換え装置の他の例を示す。この例においては、中枠３に設けられたブラケット５０によって発光体３０を支持するソケット３１を固定し、上記発光体３０を覆って、その発光体３０からの光を反射する半球状のリフレクタ５１には、発光体３０の中心軸と同軸上に配置される回転軸５２を設け、その回転軸５２を中枠３に固定された支持片５３により回転自在に支持し、その回転軸５２に駆動装置としてのロータリソレノイド５４を接続している。
【００４２】
上記の構成からなる入射光切換え装置においては、図１５に示すように、リフレクタ５１からの反射光が前面枠４に設けられた透光部３８に向けて投射される向きと、図１６に示すように、遊技板１２の外周面に向けて投射される向きとの間で前記リフレクタ５１を回転させて、遊技盤１０の種類に応じてリフレクタ５１の向きを調整するようにしている。
【００４３】
上記入射光切換え装置においても、発光体３０を樹脂製遊技盤１０の遊技板１２に形成された凹凸の模様部２７の照明用として使用したり、前面枠４の装飾発光用として有効に活用することができる。
【００４４】
なお、リフレクタ５１は、ステッピングモータ等のモータで回転させて向きを変更するようにしてもよく、あるいは、人手によって向きを変更するようにしてもよい。また、発光体３０を前面枠４の装飾発光用として使用する場合は、リフレクタ５１を一方向に連続回転させるようにして、恰も点滅しているような使用としてもよい。
【図面の簡単な説明】
【００４５】
【図１】この発明に係るパチンコ機の実施の形態を示す正面図
【図２】図１の背面図
【図３】図１に示す中枠の背面から見た状態の斜視図
【図４】遊技盤の正面図
【図５】図３の一部分を拡大して示す背面図
【図６】図５のVI−VI線に沿った断面図
【図７】図５のVII−VII線に沿った断面図
【図８】中枠に樹脂製遊技盤を取付けた状態の横断平面図
【図９】樹脂製遊技盤の遊技板に入射させた入射光の反射状態を示す図
【図１０】図５のX−X線に沿った断面図
【図１１】発光体の支持装置の他の例を示す一部切欠背面図
【図１２】図１１のXII−XII線に沿った断面図
【図１３】図１２に示す発光体を遊技板の外周面に向けて向きを変更した状態の平面図
【図１４】入射光切換え装置の他の例を示す背面図
【図１５】図１４のXV−XV線に沿った断面図
【図１６】図１５に示すリフレクタの向きを変更した状態の平面図
【符号の説明】
【００４６】
１    外枠
３    中枠
４    前面枠
１０  遊技盤
１２  遊技板
２２  嵌合凹部
２８  空隙部
３７  ロータリソレノイド（駆動装置）
３８  透光部
５１  リフレクタ
５４  ロータリソレノイド（駆動装置）
【図１】
0005024092.tif 000002
【図２】
0005024092.tif 000003
【図３】
0005024092.tif 000004
【図４】
0005024092.tif 000005
【図５】
0005024092.tif 000006
【図６】
0005024092.tif 000007
【図７】
0005024092.tif 000008
【図８】
0005024092.tif 000009
【図９】
0005024092.tif 000010
【図１０】
0005024092.tif 000011
【図１１】
0005024092.tif 000012
【図１２】
0005024092.tif 000013
【図１３】
0005024092.tif 000014
【図１４】
0005024092.tif 000015
【図１５】
0005024092.tif 000016
【図１６】
0005024092.tif 000017